(57)【特許請求の範囲】
【請求項１】
網目状に形成された前後の外刃（２７Ｆ・２７Ｂ）をアーチ状に張設した外刃ホルダ（２８）と、外刃（２７Ｆ・２７Ｂ）の内面に摺接回転するシリンダ状の回転内刃（２５Ｆ・２５Ｂ）とを備えた切断ヘッド（２）を有し、この切断ヘッド（２）全体が本体ケース（１）に対して上下方向に浮動自在に弾性支持されており、
外刃ホルダ（２８）は、前後のプラスチック製のエンドピース（３７・３８）が内部にかしめ溶着される前後壁部（２８Ｆ・２８Ｂ）と、プラスチック製の中央エンドピース（４０）を支持する縦長溝（４１）が内面に形成された左右側壁（２８Ｌ・２８Ｒ）とを備えており、
各外刃（２７Ｆ・２７Ｂ）の内刃回転方向（Ａ）の上手側の後端部が、中央エンドピース（４０）と後エンドピース（３８）とにそれぞれかしめ溶着されており、
前エンドピース（３７）と中央エンドピース（４０）とに、それぞれ弾性体（３７ｂ・４０ｂ）が上下方向に弾性変位自在に一体形成されており、
各外刃（２７Ｆ・２７Ｂ）の内刃回転方向（Ａ）の下手側の前端部は、前記弾性体（３７ｂ・４０ｂ）にかしめ溶着することによって、外刃ホルダ（２８）に対し引っ張り状態に取り付けられており、
各外刃（２７Ｆ・２７Ｂ）の回転内刃（２５Ｆ・２５Ｂ）との摺接領域（Ｗ）における内刃回転方向（Ａ）の上手側の後端部に、内刃回転方向に沿う長い形状を呈する長毛導入用の長孔（４２Ｆ・４２Ｂ）が左右方向に配列されていることを特徴とするロータリ式電気かみそり。
【請求項２】
互いに隣接する外刃（２７Ｆ・２７Ｂ）どうし間の中間に、長毛を揃えて前側の外刃（２７Ｆ）の前記長孔（４２Ｆ）に導入するための櫛状の整毛部材（４３）が、外刃ホルダ（２８）の左右側壁（２８Ｌ・２８Ｒ）間にわたって横架されている請求項１記載のロータリ式電気かみそり。
【請求項３】
整毛部材（４３）が、中央エンドピース（４０）の上方において上下動可能に係合支持されており、整毛部材（４３）が弾性付与手段（４６）で上方に押し上げ付勢されている請求項２記載のロータリ式電気かみそり。
【請求項４】
弾性付与手段（４６）が、中央エンドピース（４０）に外嵌固定したバネ（４６）である請求項３記載のロータリ式電気かみそり。  
【発明の詳細な説明】
【０００１】
【発明の属する技術分野】
本発明は、シリンダ状の回転内刃を備えたロータリ式電気かみそりの改良に関する。
【０００２】
【従来の技術】
この種のロータリ式電気かみそりとして、例えば実開平４−１０２９７１号公報に開示されているように、アーチ状に張設された外刃の内面にシリンダ状の回転内刃を摺接回転させ、外刃の固定端側から内刃との摺接位置にかけて長毛やくせ毛を切断するための長孔を設けたものがある。
【０００３】
【発明が解決しようとする課題】
前出の従来構造では、外刃は本体ケースに対し着脱可能に固定された外刃ホルダに保持され、回転式内刃は本体ケースに対し上下に浮動自在に支持される。肌からの押圧接当力（肌圧）による外刃の破損防止や肌との密着性の向上を図るために、回転内刃のみを本体ケースに対し上下に浮動自在で、常に上方へ押し上げ付勢することで対応している。
しかし、肌圧で外刃が局部的に押圧されて回転内刃全体が下動した場合、外刃との間に局部的に隙間が生じて上記長孔と回転内刃の刃先との位置関係が変化し、せっかく長孔から導入した長毛やくせ毛も切断することができなかったり、回転内刃により引っ張られるおそれがある。かかる現象は深剃り向上のために極薄でたわみ易くした外刃において顕著である。
【０００４】
本発明の目的は、このような問題を解消するためになされたもので、外刃は回転内刃ごと本体ケースに対し上下に浮動自在に支持することにより外刃の長孔と回転内刃先との位置関係の変化を防ぎ、長毛の確実な切断を可能にするロータリ式電気かみそりを提供するにある。
【０００５】
【課題を解決するための手段】
本発明のロータリ式電気かみそりは、網目状の外刃２７Ｆ（２７Ｂ）をアーチ状に張設した外刃ホルダ２８と、外刃２７Ｆ（２７Ｂ）の内面に摺接するシリンダ状の回転内刃２５Ｆ（２５Ｂ）とを備えた切断ヘッド２を有し、この切断ヘッド２全体が本体ケース１に対して上下方向に浮動自在に弾性支持される。そのうえで外刃２７Ｆ（２７Ｂ）の回転内刃２５Ｆ（２５Ｂ）との摺接領域Ｗにおける内刃回転方向Ａの上手側の端部に、内刃回転方向に長い形の長孔４２Ｆ（４２Ｂ）を配列させる。
【０００６】
上記外刃２７Ｆ（２７Ｂ）の内刃回転方向Ａの上手側の端部が外刃ホルダ２８に対し固定され、その内刃回転方向Ａの下手側の端部が外刃ホルダ２８に対し弾性体３７ｂ（４０ｂ）を介して張設される。
【０００７】
上記外刃２７Ｆ（２７Ｂ）は複数が互いに平行に隣接配置され、それぞれの刃２７Ｆ（２７Ｂ）の内面に回転内刃２５Ｆ（２５Ｂ）を摺接回転させる。少なくとも一方の外刃２７Ｆ（２７Ｂ）の内刃回転方向の上手側に配設した長孔４２Ｆ（４２Ｂ）はそれに隣接する他方の外刃２７Ｂ（２７Ｆ）側に向けて配する。
【０００８】
互いに隣接する外刃２７Ｆ（２７Ｂ）どうし間の中間に、長毛の整毛部材４３を前記長孔４２Ｆに対応させて配設する。
長毛の整毛部材４３は、互いに隣接する外刃２７Ｆ（２７Ｂ）の端部を外刃ホルダ２８に対して保持する中央エンドピース４０の上方で、弾性付与手段４６を介して上下に浮動自在に支持する。
【０００９】
外刃ホルダ２８上に前後に平行に隣接配置される外刃２７Ｆ・２７Ｂの各内面に回転内刃２５Ｆ・２５Ｂを摺接回転させ、一方の外刃２７Ｆの内刃回転方向の上手側に設けた長孔４２Ｆを、他方の外刃２７Ｂ側に向けて配する。外刃ホルダ２８の内部に架設した中央エンドピース４０で、前後の外刃２７Ｆ（２７Ｂ）の端部を保持し、この中央エンドピース４０の上方に長毛の整毛部材４３を前記長孔４２Ｆに対応するようにバネ４６を介して上下に浮動自在に配設する。
【００１０】
【作用】
外刃２７Ｆ（２７Ｂ）は回転内刃２５Ｆ（２５Ｂ）ごと本体ケース１に対し上下に浮動自在とすることにより、外刃２７Ｆ（２７Ｂ）の長孔４２Ｆ（４２Ｂ）と回転内刃２５Ｆ（２５Ｂ）の刃先との位置関係の変化を防ぐことができ、長毛を確実に切断できる。
【００１１】
外刃２７Ｆ（２７Ｂ）の内刃回転方向Ａの上手側の一端部を外刃ホルダ２８に対し固定するとともに、その内刃回転方向Ａの下手側の他端部を弾性体３７ｂ（４０ｂ）で張設することで、回転内刃２５Ｆ（２５Ｂ）の回転時の摺接摩擦により外刃２７Ｆ（２７Ｂ）が内刃回転方向Ａの下手側で弛み発生するのをよく抑えることができて、外刃２７Ｆ（２７Ｂ）の内面に対する回転内刃２５Ｆ（２５Ｂ）の摺接度合を常に一定的に維持できる。
外刃２７Ｆ（２７Ｂ）の内刃回転方向Ａの上手側の固定端側では、弾性体３７ｂ（４０ｂ）で張設される他端側で生じる伸縮作用の影響が直接的に及ぶことがなく、その固定端側に設けられた長孔４２Ｆ（４２Ｂ）は常に定位置に維持できて長毛の導入切断がより確実に行える。
【００１２】
整毛部材４３により長毛を整えながら長孔４２Ｆ（４２Ｂ）に導入し易くなる。弾性付与手段４６により整毛部材４３の肌触りが良好となり、顔の凹凸にも沿わし易い。
【００１３】
【実施例】
図２ないし図６に示すように、この電気かみそりは、本体ケース１の上部に切断ヘッド２を備えており、この切断ヘッド２に剃り刃ユニット３を組み付けてある。
図２、図７および図２９に示すように、本体ケース１は、ネジ結合される前後二つ割り構造の前後ケース１Ｆ・１Ｂ、および結合された前後ケース１Ｆ・１Ｂに左右から嵌合連結されるカバーケース１Ｌ・１Ｒとからなる。この本体ケース１の内部には回路基板４、電池５等の電装部品が組み込まれるとともに、ケース下端部に充電用プラグ６が備えられる。前ケース１Ｆの前面には起動・停止用のスイッチノブ７が上下スライド操作可能に備えられ、かつ充電状態表示用のインジケータ８が設けられるとともに、飾りパネル１００がそれらスイッチノブ７およびインジケータ８を露出するように重合固定される。また、図４のように本体ケース１の後面の上部にはきわ剃りユニット９とこれを揺動出退させる操作ノブ１０が装備される。
【００１４】
図１３および図１４に示すように、切断ヘッド２はヘッドケース１１を有し、このヘッドケース１１は、左右方向に並列されてネジ１２で一体結合される左右ケース部分１１Ｌ・１１Ｒと中央ケース部分１１Ｃとからなり、両端に出力軸１３Ｌ・１３Ｒを備えたモータ１４がこれらケース部分１１Ｌ・１１Ｃ・１１Ｒによって左右水平姿勢で抱き込み保持されている。
ヘッドケース１１の左右ケース部分１１Ｌ・１１Ｒからは、左右一対の支持壁１５Ｌ・１５Ｒが相対向して立設され、この支持壁１５Ｌ・１５Ｒが本体ケース１の上面から上方外方に突出するよう、かつ、ヘッドケース１１が一定範囲で上下方向に出退可能に前後ケース１Ｆ・１Ｂに前後から抱き込み支持される。そして、この突出した左右支持壁１５Ｌ・１５Ｒ間に前記剃り刃ユニット３が組み付けられる。
【００１５】
図７において、ヘッドケース１１における中央ケース部分１１Ｃの下部から左右に延出した薄肉アーム１６の各先端ピン１７が、本体ケース１内のボス９０に差し込み固定されるとともに、ヘッドケース１１の左右下部と本体ケース１のバネ受け１８との間に圧縮コイルバネ１９が組み付けられる。もって切断ヘッド２全体が薄肉アーム１６と圧縮コイルバネ１９とを介して本体ケース１に対して上下に浮動自在に弾性支持される。左右支持壁１５Ｌ・１５Ｒの基部と本体ケース１の上面開口部との間にはゴム製のシールリング２０が嵌着され、ヘッドケース出退箇所から本体ケース１内への塵埃の侵入が阻止される。
【００１６】
図８ないし図１１において、各支持壁１５Ｌ・１５Ｒの外側には蓋板２１Ｌ・２１Ｒおよびキャップ２２Ｌ・２２Ｒが嵌着固定され、右側の支持壁１５Ｒとその蓋板２１Ｒとの間の空間に、モータ出力を剃り刃ユニット３に伝達するためのギヤ伝動機構２３が装備される。このギヤ伝動機構２３は、モータ１４の一方の出力軸１３Ｒに固着された第１伝動ギヤＧ１、これに噛み合う第２伝動ギヤＧ２、第２伝動ギヤＧ２に一体連設された第３伝動ギヤＧ３、この第３伝動ギヤＧ３に噛み合う第４伝動ギヤＧ４、第４伝動ギヤＧ４に一体連設された第５伝動ギヤＧ５、第５伝動ギヤＧ５に噛み合う第６伝動ギヤＧ６、第６伝動ギヤＧ６に噛み合う第７伝動ギヤＧ７、および第７伝動ギヤＧ７に一体連設された最終伝動ギヤＧ８とから構成される。なお、モータ１４の他方の出力軸１３Ｌの出力はきわ剃りユニット９の駆動系に伝達される。
【００１７】
図８に示すように、剃り刃ユニット３には、前記支持壁１５Ｌ・１５Ｒ間に左右軸心Ｐを中心に揺動可能に枢支された揺動基台２４と、一対のシリンダ状の回転内刃２５Ｆ・２５Ｂを前記軸心Ｐと平行に並列軸支した内刃ホルダ２６と、網目状に形成された前後２枚の外刃２７Ｆ・２７Ｂをアーチ状に張設した外刃ホルダ２８とが備えられる。
図８および図２３に示すように、揺動基台２４は、上蓋板２９の嵌め込み装着によって閉塞される浅い箱状に形成され、その左右から立設した山形のブラケット部２４Ｌ・２４Ｒが支軸３０Ｌ・３０Ｒを介して前記ヘッドケース１１における支持壁１５Ｌ・１５Ｒに枢支連結される。揺動基台２４の内部には、後述するように、内刃ホルダ２６の係合ロック機構３１（図２３参照）と外刃ホルダ２８の係合ロック機構３２（図１参照）が組み込まれる。
【００１８】
図１８に示すように、内刃ホルダ２６は、平坦な毛くず受け面Ｓを形成する底壁２６Ｃの左右端から側壁２６Ｌ・２６Ｒが立設されたものであり、この側壁２６Ｌ・２６Ｒ間に前記回転内刃２５Ｆ・２５Ｂが平行に軸支され、かつ回転内刃２５Ｆ・２５Ｂと毛くず受け面Ｓとの間には前後から清掃ブラシを挿入できる空間Ｑ（図２３参照）が形成される。また、各回転内刃２５Ｆ・２５Ｂに一体化した入力ギヤＧＦ・ＧＢが右側の側壁２６Ｒの外側に位置して装備されるとともに、各側壁２６Ｌ・２６Ｒの外側にはカバー体３３Ｌ・３３Ｒが嵌合連結され、右側のカバー体３３Ｒには前記入力ギヤＧＦ・ＧＢの対向する一部を露出させる開口３４が形成される。このように入力ギヤＧＦ・ＧＢの対向する一部を露出させることで、この内刃ホルダ２６の揺動基台２４への組み付けに伴って、各入力ギヤＧＦ・ＧＢの露出部分を前記ギヤ伝動機構２３における最終伝動ギヤＧ８にそれぞれ容易に噛み合わすことができる。
【００１９】
図１８において、内刃ホルダ２６の左右側壁２６Ｌ・２６Ｒには、揺動基台２４の左右のブラケット部２４Ｌ・２４Ｒをガイド部としてこれに上方より係合できる山形開口形状の係合部３５Ｌ・３５Ｒが形成される。ブラケット部２４Ｌ・２４Ｒに係合部３５Ｌ・３５Ｒを係合させることにより、内刃ホルダ２６が揺動基台２４に対して位置決めされた状態、つまり各回転内刃２５Ｆ・２５Ｂの軸心が最終伝動ギヤＧ８の軸心である揺動軸心Ｐから一定距離に位置する状態に組み付けられる。これらブラケット部２４Ｌ・２４Ｒと係合部３５Ｌ・３５Ｒとの係合形状は、前側にのみ段部ｄを有する前後非対称の形状に構成されており、このように左右の係合案内部の形状を異ならせることで、内刃ホルダ２６が左右逆にして組み付けられるのを防止できる。
【００２０】
図１９に示すように、外刃ホルダ２８は、前後壁部２８Ｆ・２８Ｂと左右側壁２８Ｌ・２８Ｒとを備えた中抜き形状に形成され、左右側壁２８Ｌ・２８Ｒには、外刃ホルダ２８を揺動基台２４に上方から組み付ける際に各回転内刃２５Ｆ・２５Ｂの左右両端の支軸との干渉を避けるための前後一対ずつの凹溝３６が切り欠き形成される。前後壁部２８Ｆ・２８Ｂの内部には、図２０に示す外刃張設用の前後のエンドピース３７・３８をかしめ溶着するためのピン３９が設けられる。左右側壁２８Ｌ・２８Ｒにおける各内面の前後中間部、即ち前後の凹溝３６・３６間の壁には、外刃張設用の中央エンドピース４０を左右から係合支持する縦長溝４１が形成される。
【００２１】
各エンドピース３７・３８・４０はプラスチック成形されたものであり、図１および図２０に示すように、各外刃２７Ｆ・２７Ｂの内刃回転方向Ａの上手側の後端部は、中央エンドピース４０および後エンドピース３８からそれぞれ突設した固定ピン４０ａ・３８ａにかしめ溶着し、中央エンドピース４０の左右端を外刃ホルダ２８の左右の縦長溝４１に係合し、後エンドピース３８を後壁部２８Ｂの内部にかしめ溶着することによって、外刃ホルダ２８に対し固定される。また、各外刃２７Ｆ・２７Ｂの内刃回転方向Ａの下手側の前端部は、外刃ホルダ２８の前壁部２８Ｆの内部にかしめ溶着される前エンドピース３７、および前記中央エンドピース４０にそれぞれ上下方向に弾性変位自在に一体形成した弾性体３７ｂ・４０ｂから突出する可動ピン３７ｃ・４０ｃにかしめ溶着することによって、外刃ホルダ２８に対し引っ張り状態に取り付けられる。
【００２２】
このように外刃ホルダ２８に対し各外刃２７Ｆ・２７Ｂの内刃回転方向Ａの上手側の後端部を固定し、内刃回転方向Ａの下手側の前端部を引っ張っておくと、各外刃２７Ｆ・２７Ｂが回転内刃２５Ｆ・２５Ｂとの摺接抵抗を受けて内刃回転方向Ａの下手側に向けて引っ張られ、その回転方向Ａの下手側において外刃２７Ｆ・２７Ｂの弛みが発生しがちとなるのをよく抑えて、常に外刃２７Ｆ・２７Ｂの回転内刃２５Ｆ・２５Ｂとの密着性を高めることができ、切れ味の向上に寄与する。
【００２３】
図１および図２０に示すように、各外刃２７Ｆ・２７Ｂの回転内刃２５Ｆ・２５Ｂとの摺接領域Ｗにおける内刃回転方向Ａの上手側に対応する後端側には、内刃回転方向Ａに沿う長い形状を呈する長毛導入用の長孔４２Ｆ・４２Ｂが左右方向に列設される。そして、図１および図１９に示すように、前後外刃２７Ｆ・２７Ｂ間の中間には、長毛を揃えて前側の外刃２７Ｆの前記長孔４２Ｆに導入し易くするための櫛状の整毛部材４３が外刃ホルダ２８の左右側壁２８Ｌ・２８Ｒ間に亘って横架されるとともに、外刃ホルダー２８の後壁部２８Ｂ上端には長毛を後ろ側の外刃２７Ｂの前記長孔４２Ｂに導入し易くするためのコーム４４が一体形成される。
前記整毛部材４３はプラスチックで一体成形されたものであり、その両端が外刃ホルダ２８の左右側壁２８Ｌ・２８Ｒの各内面の上記縦長溝４１の上方に形成した縦長溝４５（図１９参照）に上下動可能に係合支持されるとともに、中央エンドピース４０の上端に外嵌固定した弾性付与手段である板バネやコイルバネなどのバネ４６によって常に上方に押し上げ付勢される。従って整毛部材４３が肌に円滑に追従して長毛を良好に整えて長孔４２Ｆに確実に導入する。
整毛部材４３の上端面は、図２３のように前後方向に水平に形成するに代えて、図１のようにその前側４３Ｆが後側４３Ｂよりも低くなるよう前方下り傾斜状に形成することもできる。そうした場合は図１の矢印Ｙの方向へ肌に沿って動かすことで、前側の外刃２７Ｆと整毛部材４３の上端面との間での肌の絞り込み効果がより向上し、長孔４２Ｆへの長毛導入が効果的に行える。
【００２４】
前記外刃ホルダ２８の係合ロック機構３２の構成が図１、図２１および図２２に示される。
揺動基台２４の左右には前後一対ずつの係止爪５０が開口５１を通して前後に出退変位自在にかつ圧縮コイルバネ５２によって突出付勢されるよう組み付けられる。各係止爪５０の突出端が外刃ホルダ２８の下部内面に形成された係合凹部５３に付勢係合することで、外刃ホルダ２８が揺動基台２４に対して所定の装着位置に固定される。また、揺動基台２４の中央に立設した支軸５４に一対の揺動リンク５５がＸ形に交差して枢支され、各揺動リンク５５の端部に形成した長孔５５ａに各係止爪５０の下面に設けたピン５０ａが係合される。揺動リンク５５の上部には左右移動のみ可能に案内された操作部材５６が配備され、この操作部材５６の左右２箇所に形成された横向き三角状のカム孔５６ａに、各揺動リンク５５から立設したカムフォロアピン５５ｂが係入される。外刃ホルダ２８の係合ロックが利いている状態では、各カムフォロアピン５５ｂが三角状カム孔５６ａの底辺の左右端に位置しており、この状態から操作部材５６が図中右方向に移動されると、各カムフォロアピン５５ｂが三角状カム孔５６ａの頂点側へ引き寄せられて各揺動リンク５５が折り込み揺動され、各係止爪５０が圧縮コイルバネ５２に抗して後退変位されて、係合ロックが解除される。
【００２５】
上記操作部材５６の左端部５６ｂが、図２２のように揺動基台２４に設けた透孔５７に挿入されるとともに、図８および図９のように切断ヘッド２の左側面に設けたロック解除ボタン５８の内端が前記透孔５７に対向して配備されており、ロック解除ボタン５８を復帰バネ５９に抗して押し込み操作することによって操作部材５６を上記のようにロック解除方向に押圧変位することができる。また、図２３のように外刃ホルダ２８を装着する場合には、単に外刃ホルダ２８を揺動基台２４に上方から押し込み操作するだけで係合ロック機構３２が自動的にロック作動する。
【００２６】
前記内刃ホルダ２６の係合ロック機構３１の構成が図２１、図２２および図２３に示される。
揺動基台２４の前後には、図２３のように前後一対の係止爪６０が開口６１を通して前後に出退変位自在にかつ圧縮コイルバネ６２によって突出付勢されるように組み付けられる。他方、図１８および図２３のように内刃ホルダ２６の前後のそれぞれには、左右の厚肉突起６３が設けられるとともに、左右の厚肉突起６３の間には前後方向に弾性変形可能な薄肉下片状の操作つまみ６４が設けられ、各係止爪６０の突出端の左右端部が、厚肉突起６３の内面に設けた係合凹部６５に付勢係合することで、内刃ホルダ２６が揺動基台２４に対して所定の装着位置に固定される。
【００２７】
図２２および図２３のように内刃ホルダ２６が係合ロックされた状態下で、前後の操作つまみ６４をつまんで内方に変形させると、操作つまみ６４によって係止爪６０が圧縮コイルバネ６２に抗して後退変位されて係合ロックが解除される。内刃ホルダ２６を装着する場合には、単に内刃ホルダ２６を揺動基台２４に上方から押し込み操作するだけで係合ロック機構３１が自動的にロック作動する。
【００２８】
図２４、図２５および図３０は外刃ホルダ２８の着脱に伴いモータ１４への通電を断接する安全スイッチ機構を示す。この安全スイッチ機構は、切断ヘッド２における左側の支持壁１５Ｌの外面に、導電金属板を打ち抜き形成してなる一対の端子７０・７１をその上端の一部が重複するように取り付けられる。外側の端子７０は、常態ではその上端部７０ａが内側の端子７１の上端部７１ａに接触して前記モータ１４への通電が牽制阻止されるように、両端子７０・７１の下端が基板上の電気回路に配線接続される。また、支持壁１５Ｌには、前記外側の端子７０を変位操作する作動片７２が装着される。この作動片７２は、揺動基台２４の揺動軸心Ｐを中心にして一定範囲で前後揺動可能にかつ軸心Ｐ方向にスライド変位可能であり、この作動片７２から外向きに突設した円弧形状の凸部７２ｂが支持壁１５Ｌの円弧状透孔７３（図１３参照）を貫通して揺動基台２４側にバネ６８で突出付勢される。他方、揺動基台２４における左側のブラケット部２４Ｌには作動片７２から内向きに突設したピン部７２ａを挿通する単孔状の透孔７４が形成され、揺動基台２４の揺動に伴って作動片７２も軸心Ｐ回りに前後揺動するよう構成される。
【００２９】
そして、揺動基台２４の透孔７４から突出された作動片７２の前記ピン部７２ａは、図９のように装着された外刃ホルダ２８の左側壁２８Ｌの下端部との接触によって外方に押圧スライドされ、外向きの凸部７２ｂが外側の端子７０の上端部７０ａを外方に弾性変位させて内側の端子７１の上端部７１ａから離間させ、もってモータ１４への通電を可能にする。つまり、外刃ホルダ２８を装着した時はモータ１４を起動することができる。しかし、外刃ホルダ２８を取り外したときは、図２５のように作動片７２は揺動基台２４側にバネ６８で突出移動し、これに伴い外側の端子７０の上端部７０ａと内側の端子７１の上端部７１ａとが接触するため、スイッチノブ７の操作によるメインスイッチのオン状態にもかかわらず、モータ１４を起動することができない。従って、外刃ホルダ２８を外して回転内刃２５Ｆ・２５Ｂを清掃したり、内刃ホルダ２６ごと交換するときも安全である。
【００３０】
上記構成のロータリ式電気かみそりでは、外刃２７Ｆ・２７Ｂおよび回転内刃２５Ｆ・２５Ｂを備えた切断ヘッド２これ全体が本体ケース１に対して上下に浮動自在であるので、肌圧で外刃２７Ｆ・２７Ｂが局部的に押圧される場合も回転内刃２５Ｆ・２５Ｂごと下動するため、常に外刃２７Ｆ・２７Ｂの内面に対する内刃２５Ｆ・２５Ｂの密着状態を維持し、その内外両刃間に局部的な隙間が生じるようなことがなく、従って外刃２７Ｆ・２７Ｂの長孔４２Ｆ・４２Ｂと回転内刃２５Ｆ・２５Ｂの刃先との位置関係が変化することなく、長孔４２Ｆ・４２Ｂに導入する長毛やくせ毛を確実に切断することができる。
【００３１】
また、モータ１４およびギヤ伝動機構２３を備えた切断ヘッド２に対して剃り刃ユニット３のみが、ギヤ伝動機構２３における最終伝動ギヤＧ８の軸心Ｐを中心に首振り揺動することで、顔の凹凸や顎下などの剃りにくい部分にも剃り刃ユニット３が容易に追従する。
この場合、図２７のように本体ケース１の前面側を肌Ｈに向け、剃り刃ユニット３を肌Ｈに当てて、本来の動作方向である肌の下方から上方Ｘへすべり動かした場合、剃り刃ユニット３は肌Ｈからの反力によって前方向Ａ（肌から逃げる方向）に揺動されようとするが、この時、剃り刃ユニット３が中立位置より前方へ傾倒した位置にある場合、軸心Ｐを通る最終伝動ギヤＧ８の表面と摺接する揺動基台２４の右ブラケット部２４Ｒが、最終伝動ギヤＧ８から受ける摩擦摺接力、および前方向へ回転する回転内刃２５Ｆ・２５Ｂから外刃２７Ｆ・２７Ｂが受ける摺接反力によって、剃り刃ユニット３が後方向Ｂに揺動されることになるために、これが剃り刃ユニット３を肌Ｈに押しつける方向に作用し、剃り刃ユニット３と肌Ｈとの密着性が向上して良好な切れ味がもたらされる。
【００３２】
図２４のように切断ヘッド２の左側において前記ロック解除ボタン５８の支持ボス７５に外嵌装着したねじりコイル形の戻しバネ７６の遊端を、剃り刃ユニット３と一体揺動する部材である前記モータ起動牽制用の作動片７２の凸部７２ｂの前端部に当接させることで、剃り刃ユニット３が中立位置より後方へ傾倒した位置にある場合、剃り刃ユニット３のＢ方向への揺動を戻しバネ７６の弾性反力で強制的に中立位置へ戻すようにしてもよい。
上記最終伝動ギヤＧ８からの摩擦摺接力および回転内刃２５Ｆ・２５Ｂから外刃２７Ｆ・２７Ｂが受ける摺接反力で前方傾倒位置にある剃り刃ユニット３がＢ方向に揺動するのを緩慢にする手段として、図２５に示すように支軸３０Ｌが通される支持壁１５Ｌのボスとブラケット部２４Ｌのボスとの間にグリース溜部９１を設け、このグリース溜部９１に封入する粘性の高いグリースの粘性で前記Ｂ方向の揺動を緩慢にする。
【００３３】
鼻の下などを剃る場合は、剃り刃ユニット３は揺動しないように固定している方が使いやすいため、剃り刃ユニット３を固定して使用するための機構が切断ヘッド２における右側の支持壁１５Ｒに装備される。すなわち、図２６ないし図２８に示すように、支持壁１５Ｒに取り付けた蓋板２１Ｒの外側には、スライド部材７７が前後一対の取付けアーム７７Ｆ・７７Ｂを介して上下動可能に係合装着されるとともに、スライド部材７７に備えた一対の弾性アーム７７ａが蓋板２１Ｒに備えたデテント突起７８群に弾性係合して上下２位置に亘ってスライド変位できるようになっている。また、スライド部材７７に備えた操作部７７ｂがキャップ２２Ｒの開口７９に臨設されて外部からスライド操作できるようになっている。また、前記取付けアーム７７Ｆ・７７Ｂの先端は、剃り刃ユニット３における内刃ホルダ２６の右側カバー体３３Ｒに干渉できる位置まで延出される。
【００３４】
通常の使用状態では、図２６に示すように、スライド部材７７が下方位置にあり、この時、前記取付けアーム７７Ｆ・７７Ｂは内刃ホルダ２６の右側カバー体３３Ｒから下方に大きく離れており、剃り刃ユニット３は取付けアーム７７Ｆ・７７Ｂに干渉することがなく、剃り刃ユニット３は自由に揺動できる。そして、スライド部材７７を上方位置に移動させて保持すると、取付けアーム７７Ｆ・７７Ｂの先端が右側カバー体３３Ｒの下端に干渉する。この場合、カバー体３３Ｒの前側下端には凹部８０が切り欠き形成されており（図１８参照）、そのため、図２７に示すように、剃り刃ユニット３は後ろ側が取付けアーム７７Ｂで突き上げられた前下がり揺動姿勢、つまり鼻下などに好適に当てがい易い姿勢で固定されることになる。
【００３５】
本発明は、浮動自在な切断ヘッド２に対して剃り刃ユニット３が首振り揺動するものに限られず、該切断ヘッド２に対して剃り刃ユニット３が首振り不能に固定されるものにも同様に適用できる。
【００３６】
【発明の効果】
本発明のロータリ式電気かみそりによれば、外刃２７Ｆ（２７Ｂ）は回転内刃２５Ｆ（２５Ｂ）ごと本体ケース１に対し上下に浮動自在としてあるので、外刃２７Ｆ（２７Ｂ）の長孔４２Ｆ（４２Ｂ）と回転内刃２５Ｆ（２５Ｂ）の刃先との位置関係に変化を来すようなことがなく、長孔４２Ｆ（４２Ｂ）に導入される長毛を常に確実に切断することができる。
【図面の簡単な説明】
【図１】本発明に係るロータリ式電気かみそりの内刃ホルダ及び外刃ホルダを備えた切断ヘッド部を示す縦断側面図である。
【図２】全体斜視図である。
【図３】全体正面図である。
【図４】全体後面図である。
【図５】全体側面図である
【図６】一部を切り欠いた全体斜視図である。
【図７】全体の縦断正面図である。
【図８】切断ヘッド部の縦断正面図である。
【図９】図８における切断ヘッド部の左側半部の拡大図である。
【図１０】図８における切断ヘッド部の右側半部の拡大図である。
【図１１】内刃駆動用の伝動機構を示す側面図である。
【図１２】本体ケースに組み付けた切断ヘッド部の斜視図である。
【図１３】切断ヘッド部の斜視図である。
【図１４】切断ヘッド部の分解斜視図である。
【図１５】外刃ホルダを取り外した状態の切断ヘッド部の斜視図である。
【図１６】内刃ホルダを取り外した状態の切断ヘッド部の斜視図である。
【図１７】内刃ホルダと外刃ホルダを示す斜視図である。
【図１８】揺動基台と内刃ホルダを示す斜視図である。
【図１９】外刃ホルダの分解斜視図である。
【図２０】外刃とその取り付け用部品を示す分解斜視図である。
【図２１】揺動基台の分解斜視図である。
【図２２】揺動基台の内部を示す平面図である。
【図２３】内刃ホルダの係合ロック機構を示す縦断側面図である。
【図２４】安全スイッチ機構部分を示す側面図である。
【図２５】安全スイッチ機構部分を示す縦断正面図である。
【図２６】首振り固定手段を示す側面図である。
【図２７】首振り固定状態に操作された首振り固定手段を示す側面図である。
【図２８】首振り固定手段を示す正面図である。
【図２９】全体の分解斜視図である。
【図３０】安全スイッチ機構部分の分解斜視図である。
【符号の説明】
１  本体ケース
２  切断ヘッド
２５Ｆ・２５Ｂ  回転内刃
２７Ｆ・２７Ｂ  外刃
２８  外刃ホルダ
３７  弾性体
４０  中央エンドピース
４２Ｆ・４２Ｂ  長孔
４３  整毛部材
４６  バネ（弾性付与手段）
【図１】
0003716352.tif 000002
【図２】
0003716352.tif 000003
【図３】
0003716352.tif 000004
【図４】
0003716352.tif 000005
【図５】
0003716352.tif 000006
【図６】
0003716352.tif 000007
【図７】
0003716352.tif 000008
【図８】
0003716352.tif 000009
【図９】
0003716352.tif 000010
【図１０】
0003716352.tif 000011
【図１１】
0003716352.tif 000012
【図１２】
0003716352.tif 000013
【図１３】
0003716352.tif 000014
【図１４】
0003716352.tif 000015
【図１５】
0003716352.tif 000016
【図１６】
0003716352.tif 000017
【図１７】
0003716352.tif 000018
【図１８】
0003716352.tif 000019
【図１９】
0003716352.tif 000020
【図２０】
0003716352.tif 000021
【図２１】
0003716352.tif 000022
【図２２】
0003716352.tif 000023
【図２３】
0003716352.tif 000024
【図２４】
0003716352.tif 000025
【図２５】
0003716352.tif 000026
【図２６】
0003716352.tif 000027
【図２７】
0003716352.tif 000028
【図２８】
0003716352.tif 000029
【図２９】
0003716352.tif 000030
【図３０】
0003716352.tif 000031